(57)【要約】【課題】芯材を固定したキャップ付の筆記具において、使用時にキャップを取外すことなく使用できるキャップ付筆記具の提供を目的とする。【解決手段】筆記具としての軸体に、キャップ離脱防止用のストッパーを有する案内溝を設けた。この案内溝に案内されて移動する突起付アームを、キャップに設けることでキャップ付筆記具とした。軸体に設けた案内溝にそって移動するキャップを動かすことで、固定状態に設定された芯材が、キャップの先端から出没するようにした。【選択図】　　　図１
2004114667.tif 000002
【特許請求の範囲】
【請求項１】
その一端に筆記用の芯材を突出させた軸体と、
この軸体の前記芯材部を覆うように取付けたキャップとからなり、
前記軸体の芯材側に設けられ、前記キャップの移動を案内するストッパー付の案内溝と、
この案内溝に案内されて前記軸体の軸芯方向に移動する突起付アームを前記キャップに設けたことを特徴とするキャップ付筆記具。
【請求項２】
その一端に筆記用の芯材を突出させた軸体と、
この軸体の前記芯材部を覆うように取付けたキャップとからなり、
前記軸体の芯材側に設けられ、その先端に前記キャップの離脱を防止するためのストッパーを有するＬ字状の案内溝と、
この案内溝に案内されて前記軸体の軸芯方向に移動する突起付アームを前記キャップに設けたことを特徴とするキャップ付筆記具。
【発明の詳細な説明】
【０００１】
【発明の属する技術分野】
本発明は、キャップを取外すことなくそのキャップを回動して、軸方向に移動させることにより、キャップの先端から芯材が出没できるように改善したキャップ付筆記具に関する。
【０００２】
【従来の技術】
ボールペン等のような筆記具には、芯材を押し出して使用するスライド式のものがある。この方式はキャップが不要なので、キャップを着脱することもなく便利に使用することができる。
但し構造が複雑になるので、部品点数が増えて高価になるという欠点があった。
また、芯材を動かさない芯材固定式は、構造が簡単であるが、芯材部分にキャップを被せており、使用するたびに取外さなければならないので、紛失したり着脱したりする操作が面倒であった。
本発明は芯材を固定させた筆記具において、キャップを着脱しないで移動することにより、使用時や不使用時に対応できるようにしたものである。
キャップ部分を軸芯方向に移動させる従来例としては、化粧用具や筆記具に用いられる多用途ケースがある。
これは、上段、中段、下段よりなる筒状容器内に芯材を収容して、シリンダー方式又はスクリュー方式を用いて芯材を出し入れしたり、開閉部材を設けて引き出し収納自在としたりするものである。（例えば特許文献１参照）
【０００３】
【特許文献１】
特開２００１−１８６９２２号公報
【０００４】
【発明が解決しようとする課題】
特許文献１に示すように、筆記具になる多用途ケースは、軸体や芯材部分自体の構造が複雑であり、筆記具に採用しても製造が困難であるばかりでなく、高価になって筆記具としては商品化できないという欠点があった。
本発明は、このような不具合を解消するためになされたものであり、簡単な構造で、筆記具としての軸体とキャップとの一部を改造するだけで、使用時にキャップを取外す必要のないキャップ付筆記具の提供を目的とする。
【０００５】
【課題を解決するための手段】
上記不具合を解決するために、本発明は次のような構成としている。
請求項１に記載したキャップ付筆記具は、軸体の一端側で筆記用の芯材を突出させた軸体に、前記芯材を覆うキャップを取付けた。芯材側の軸体には、キャップ離脱防止用のストッパーを有する案内溝を設けると共に、この案内溝に案内されて軸芯方向に移動する突起付きアームを、キャップに設けることでキャップ付筆記具とした。
軸体に設けた案内溝に案内されて移動するキャップを動かすことで、固定状態の芯材がキャップ先端から出没するようにした。
請求項２に記載したキャップ付筆記具は、軸体の一端側で筆記用の芯材を突出させた軸体に、前記芯材を覆うキャップを取付けた。芯材側の軸体には軸体からの離脱を防止するストッパーを有するＬ字状の案内溝を設けると共に、この案内溝に案内されて軸芯方向に移動する突起付アームを、キャップ側に設けることでキャップ付筆記具とした。
キャップを少し回転させてから軸芯方向に移動させることで、キャップの先端に力が加わっても、スライド移動しないようにした。これは自分の意志で動かさなければ、芯材が突出しないようにしたものである。
【０００６】
【発明の実施の形態】
本発明について、図面を参照して説明する。図１は本発明のキャップ付筆記具を示す一部破断斜視図、図２は図１の要部を示す分解斜視図、図３は図２で示す軸体を拡大して示す斜視図、図４は図２で示すキャップの斜視図である。
図１で示すように本発明のキャップ付筆記具１０は、その中心に筆記用の芯材１４を設けた軸体１２と、この軸体の芯材側を覆うように配設したキャップ２０とからなる。
このキャップ２０は、図中の矢印Ａで示す軸体１２の長手方向及び、図中の矢印Ｂで示す回転方向の二方向に、移動できるように取付けることで、芯材１４がキャップ２０の先端から出没するようにして、筆記具としての使用、不使用に対応している。
また、図２で示すように軸体１２とキャップ２０とは、以下のように取付けている。すなわち、キャップ２０から突出して設けた突起付アーム２４が、軸体１２に設けた案内溝１５に挿入され、この溝にそって可動する。
このような軸体１２とキャップ２０とについて、更に詳細に説明する。
【０００７】
軸体１２は図１で示したように、柱状よりなる筆記具としての軸となるものであり、図３で示すようにその一端側に、軸体１２よりも直径の小さい円柱のキャップ支持体１３を設けている。
このキャップ支持体１３は、キャップ２０が挿入されて、軸方向に移動できるような太さに設定している。また、このキャップ支持体１３の中心軸からは、筆記具としての芯材１４が突出して設けられ、図２で示したようにキャップ２０の先端に設けた孔２２から突出する。
芯材１４側の軸体１２端部には、キャップ２０の移動を案内する案内溝１５を対向配置している。図３で示す案内溝１５は一対のうちの一方の案内溝であり、他方の案内溝は図中の裏面側に配置されている。
【０００８】
案内溝１５は、不使用時におけるキャップ２０の移動を防止するための第１溝１６と、使用時におけるキャップ２０の位置を案内するための第２溝１７と２つの溝からなり、これらの溝は互いに隣接してＬ字状の段付き溝１５を形成している。
これらの第１溝１６と第２溝１７とは、互いに軸体に対して斜交するように配設している。これは芯材１４を出没させるために、キャップ２０を少し回転させるが、回転しながら軸体１２の長手方向に対して、キャップが滑らかに移行できるように、案内溝１５を軸体に対して斜めに配置したものである。
軸体と同方向の案内溝にすると、キャップ２０の回転をストップさせてから、直角方向に角度を変えて押し込むことになるが、斜めに案内溝１５を設けることにより、キャップ２０をストップさせることなく、軸体１２と同方向に移行させることができる。
このような案内溝１５の入口先端部には、キャップ２０の案内溝からの離脱を防止するストッパー１８を設けている。このストッパーは凸溝よりなり、案内溝１５の入口を少し塞ぐような、小さな堤防を設けたような状態で配設している。
【０００９】
キャップ２０は図４で示すように、その一端に芯材１４が出没する孔２２を設けた筒体２１よりなり、図３で示した軸体１２先端部のキャップ支持体１３に挿入するものである。
この筒体２１の開放端から延出して、対向配置した一対の突起付アーム２４を筒体２１と一体で設けている。
この突起付アーム２４は、前述した図３で示す案内溝１５に取付けするものであり、この案内溝１５と一致するように配設している。
すなわち、案内溝１５と一致するように、傾斜して延出した状態のアームの先端部に、係止手段としての突起２５を設けたもので、アーム自体も段付の略Ｌ字状である。
突起２５は、案内溝１５の入口に設けたストッパー１８に当接して、案内溝からの離脱を防止するものである。
【００１０】
このように形成した軸体１２とストッパー２０とは、次のように組合せして使用する。
キャップ２０はキャップ支持体１３に挿入すると共に、突起付アーム２４の先端部を少し持ち上げて、突起２５を案内溝入口に設けたストッパー１８の奥側に配置する。ストッパー１８の内側に突起２５を配設することで、キャップ２０は軸体１２から離脱することはない。
【００１１】
このようにして組立てたキャップ付筆記具１０の使用例について図面を参照して説明する。図５は図１の使用状態から不使用状態に移行する説明図、図６は図１の不使用状態を示す説明図である。
キャップ付筆記具１０の使用状態は、図１で示すように芯材１４が突出して、突起付アーム２４が案内溝１５と一致した状態である。
この状態から不使用時の状態に設定するには、図５で示すようにキャップ２０を、図中の矢印で示す方向に移動させると、突起付アーム２０は第２溝１７にそって移動する。
この移動完了状態が図５で示す状態であり、キャップ２０と軸体１２の間からは、キャップ支持体１３の一部が見えることになる。
この状態は突起２５がストッパー１８で阻止されて、キャップは離脱しないように設定されると共に、芯材１４はキャップの中に収納される。
【００１２】
この図５で示す状態は、少しの力で元の使用状態にもどるので、図６で示すように、キャップ２０を図中の矢印で示す方向に回転させると、突起付アーム２４が第１溝１６に移動する。
この状態はキャップの軸体１２からの離脱は、ストッパー１８で阻止されると共に、反対方向の力は、突起付アーム２４の先端部が案内溝の段部に当接して、移動できない状態に設定されている。換言すれば突起２５が、ストッパー１８と第１溝１６の段部間とに挟まれた状態に配設されていることになるものである。
このような動きと、案内溝を傾斜させたことによって、二方向の動きであっても、滑らかな動きが得られるようにしたものである。
案内溝１５を傾斜させることで説明したが、直線状に配置した案内溝であって良いことはもちろんである。
尚、図３で示したストッパー１８の中央部を、少し高くした山形の円弧にしたり小突起を設けたりすると、突起付きアーム２４が回転したときに当接して、第１溝１６と第２溝１７間の移動に、少し抵抗が増して使用中に容易に移動しないようにすることも可能である。
【００１３】
本発明の他の例について、図面を参照して説明する。図７は本発明の他の例のキャップ付筆記具で、その一部を破断して示す分解斜視図である。
他の例で示すキャップ付筆記具３０は、前述例と同様に、筆記具としての芯材３４をその一端に設けた軸体３２よりなり、その芯材部分を覆うキャップ４０を設けている。
前述例と相違する点は、軸体３２に設けた案内溝３５と、キャップ４０に設けた突起付アーム４４とが相違するもので、その他は前述例と同じであるから相違点のみ説明する。
図７で示すように案内溝３５は、軸体３２の長手方向と同一の浅い溝よりなり、その芯材３４側にはストッパー孔３８を設けている。
キャップ４０は軸体挿入側に、その先端に突起４５を設けた弾性体よりなる１本の突起付アーム４４を設けている。突起４５は案内溝３５に設けたストッパー孔３８に入り込むことで、筆記具としての不使用時にキャップ４０の移動を阻止するものである。
従って、案内溝３５と突起付アーム４４との関係は、キャップ４０の先端に設けた孔から、芯材３４が出没する関係で配設している。
【００１４】
このような軸体３２とキャップ４０とは、キャップ４０を芯材３４側から挿入し、突起付アーム４４を案内溝３５に挿入する。このように組合せしたキャップ付筆記具３０の使用例について、図面を参照して説明する。
図８は図７で示すキャップ付筆記具の不使用時を示す説明図、図９は図８を使用時の状態にして示す説明図である。
図８で示すように、突起付アーム４４の先端に設けた突起４５を、案内溝３５内に設けたストッパー孔３８に挿入した位置が、キャップ付筆記具３０の不使用時の状態となる。この位置は突起４５がストッパー孔３８に挿入されている為に、簡単にキャップ４０が移動できないように設定されている。
使用状態にするには、図中の矢印で示す方向にキャップ４０を動かすことになる。これには突起４５がストッパー孔３８に入り込んだ力に逆らって動かすものであり、図９で示しキャップの先端から芯材３４の突出した状態が、筆記具としての使用状態である。
このような構成により簡単な構造で、本発明の目的が達成できるものである。本発明によれば、芯材を固定した筆記具に適用できるものであり、スライド式の複雑な構造を用いることなく、芯材固定式の筆記具でも、キャップの取外しをしないで使用できるものである。
【００１５】
【発明の効果】
以上説明したように本発明によれば、筆記具のキャップを移動可能な状態に形成したことにより、以下の効果を得ることができた。
すなわち、芯材固定式の筆記具に被せるキャップを、取外しすることなく簡単に使用状態や、不使用状態に設定することができるようになった。
その結果、使用中に外したキャップを紛失したり、机上から落下させたりするようなこともなく、安心して使うことができるようになった。
筆記具としての使用や不使用状態の設定は、キャップを軸体方向に移行させるだけであるから、簡単にできる等の効果を得ることができた。
【図面の簡単な説明】
【図１】本発明のキャップ付筆記具を示す一部破断斜視図である。
【図２】図１の要部を示す分解斜視図である。
【図３】図２で示す軸体を拡大して示す斜視図である。
【図４】図２で示すキャップの斜視図である。
【図５】図１の使用状態から不使用状態に移行する説明図である。
【図６】図１の不使用状態を示す説明図である。
【図７】他の例のキャップ付筆記具を示す一部破断斜視図である。
【図８】図７の不使用時を示す説明図である。
【図９】図８を使用時の状態にして示す説明図である。
【符号の説明】
１０　キャップ付筆記具
１２　軸体
１４　芯材
１５　案内溝
１８　ストッパー
２０　キャップ
２４　突起付アーム
２５　突起
３０　キャップ付筆記具
３２　軸体
３４　芯材
３５　案内溝
３８　ストッパー孔
４０　キャップ
４４　突起付アーム
４５　突起
【図１】
2004114667.tif 000003
【図２】
2004114667.tif 000004
【図３】
2004114667.tif 000005
【図４】
2004114667.tif 000006
【図５】
2004114667.tif 000007
【図６】
2004114667.tif 000008
【図７】
2004114667.tif 000009
【図８】
2004114667.tif 000010
【図９】
2004114667.tif 000011